(57)【要約】  【課題】文具をポケットに収納するに際して、ポケットの損傷や汚れを回避することを課題とする。  【解決手段】ポケットに入れ、これに文具を収納するポケット用文具立てを、上下方向に貫通孔が向くように配置される１以上の筒体と、少なくとも一つの筒体の下方側に上下方向に移動可能に固定されるとともに、２以上の移動箇所で係止できるように形成される移動体と、移動体の下端に設けられる前記筒部の貫通孔のほぼ真下に位置する底板を有する受け皿とから構成する。【選択図】  図１
2009107159.tif 000002
【特許請求の範囲】
【請求項１】
上下方向に貫通孔が向くように配置される１以上の筒体と、
少なくとも一つの筒体の下方側に上下方向に移動可能に固定されるとともに、２以上の移動箇所で係止できるように形成される移動体と、
移動体の下端に設けられる前記筒部の貫通孔のほぼ真下に位置する底板を有する受け皿と
を有するポケット用文具立て。
【請求項２】
前記筒体の少なくとも一つの側面には、下方に向かって狭持可能なクリップが設けられる請求項１に記載のポケット用文具立て。
【請求項３】
前記筒体は互いに接触するように２以上が並列に配置されるものであって、少なくとも一の接触面において筒体同士が係脱可能に形成される
請求項１又は２に記載のポケット用文具立て。
【請求項４】
前記筒体は２以上が並列に配置されるものであって、前記移動体が設けられる筒体は、他の筒体よりも前後方向の厚さが薄く形成されるとともに、前記移動体は当該筒体の薄くなった側面に固定されるものである
請求項１から３のいずれか１項に記載のポケット用文具立て。
【発明の詳細な説明】
【技術分野】
【０００１】
本発明は、ワイシャツや作業着などのポケットに文具を保持するための、文具立てに関する。
【背景技術】
【０００２】
ボールペンやカッターナイフなどの文具を持ち歩く必要がある仕事をする者は、直ぐに取り出せることから、ワイシャツや作業着の胸ポケットにこれらを入れることが多い。通常は、ワイシャツなどの胸ポケットに文具を直接入れる場合、そのまま、文具を入れるか、文具に設けられているクリップをポケットの上縁に挟んで固定するといった方法が採られる。
【発明の開示】
【発明が解決しようとする課題】
【０００３】
しかし、文具を直接ポケットに入れると、筆記具やカッターなどの先端がポケットの底に当たることとなり、これによりポケットが損傷したり、汚れたりすることになる。クリップをポケットの上縁に止める場合は、ポケットの損傷や汚れを回避できることがあるが、常に文具にクリップがついているわけではなく、また、文具が長い場合はクリップがあっても損傷等が生じる。
本発明は、このような問題に鑑み、文具をポケットに収納するに際して、ポケットの損傷や汚れを回避することを課題とする。
【課題を解決するための手段】
【０００４】
上記課題を解決するために、本発明は次のような構成を有する。
請求項１に記載の発明は、上下方向に貫通孔が向くように配置される１以上の筒体と、少なくとも一つの筒体の下方側に上下方向に移動可能に固定されるとともに、２以上の移動箇所で係止できるように形成される移動体と、移動体の下端に設けられる前記筒部の貫通孔のほぼ真下に位置する底板を有する受け皿とを有するポケット用文具立てである。
このような構成を有するポケット用文具立ては、受け皿と筒体との距離を調整した後に、受け皿がポケットの底に位置するようにしてポケットに入れ、その後、筒体の上部開口から文具を入れて、筒体により文具を保持することにより文具をポケット内に収納するものである。
【０００５】
請求項２に記載の発明は、前記ポケット用文具立てにおいて、前記筒体の少なくとも一つの側面には、下方に向かって狭持可能なクリップが設けられるものである。
請求項３に記載の発明は、前記ポケット用文具立てにおいて、前記筒体は互いに接触するように２以上が並列に配置されるものであって、少なくとも一の接触面において筒体同士が係脱可能に形成されるものである。
請求項４に記載の発明は、前記ポケット用文具立てにおいて、前記筒体は２以上が並列に配置されるものであって、前記移動体が設けられる筒体は、他の筒体よりも前後方向の厚さが薄く形成されるとともに、前記移動体は当該筒体の薄くなった側面に固定されるものである。
【発明の効果】
【０００６】
請求項１に記載の発明は、受け皿によって文具の先端がカバーされるので、ポケット内部の汚れや損傷を回避できる。また、移動体を移動させて所望の位置で係止させて受け皿と筒体上部開口との距離を調整することで、ポケットの高さに応じて筒体の上部開口を収納しやすい位置に調整することができ、この開口に文具の出し入れをスムーズに行うことができる。
請求項２に記載の発明は、筒体の一つにクリップを設けることで、用いるポケットの上縁に当該クリップを挟んで固定することで、ポケット用文具立てをポケット内に安定させることができる。
請求項３に記載の発明は、並列に配された筒体全体の幅を、筒体を着脱することで調整することでき、用いるポケットの幅に応じて最適な幅を柔軟に選択することができる。
請求項４に記載の発明は、厚さが薄くなった筒体の側面に移動体を固定することで、全体の厚みが大きくなりすぎないようにし、これにより用いるポケットが前後に脹らむことを抑制することができる。
【発明を実施するための最良の形態】
【０００７】
以下、本発明の実施の形態について、図面を参照しながら説明する。
図１に本実施形態に係るポケット用文具立てＸの背面側から見た一部分解斜視図を示し、図２にポケット用文具立てＸの正面側から見た一部分解斜視図を示す。ポケット用文具立てＸは複数の筒体１０、２０、３０、移動体４０、受け皿５０から構成される。
筒体１０、２０、３０は角筒状であり、筒体２０は一つ、筒体１０と３０は２つずつ設けられる。２つの筒体１０は筒体２０と底面及び前面が揃うように、筒体２０と一体に形成されている。筒体１０と筒体３０とは、高さ、幅、厚さが同一であるが、筒体２０は、筒体１０、３０よりも高く厚さが背面側に空間ができるように薄く形成されている。筒体２０の正面側上部近傍の側面には下方側で狭持できるクリップ２１が一体に形成されている。また、各筒体３０は、各筒体１０の外側の側面に設けられる。筒体１０と筒体３０との相対する側面の一方側には面ファスナーの係合部１１が貼り付けられ、他方側には面ファスナーの被係合部３１が貼り付けられている。これにより筒体１０と筒体３０とは接触面において互いに着脱自在に形成される。
【０００８】
移動体４０は、筒体２０の背面に固定される、断面Ｃ字状の棒状体から構成されることで背面側に溝が形成される固定係合部４２と、固定係合部４２内を移動し、複数の位置で係止固定できる板状の移動板４１とから構成される。固定係合部４２は背面側の溝の片側の縁が波状なった係合凹部４２ａを形成している。移動板４１は、固定係合部４２内を緩やかに摺動できる厚さと幅を有している。移動板４１の背面側上部には、固定係合部４２の溝から突出するツマミ４１ｂが設けられ、ツマミ４１ｂの側面の前記係合凹部４２ａに相対する部分には、山状に形成され出没可能に固定される板バネ４１ａが設けられている。この板バネ４１ａが係合凹部４２ａの一つの凹部に係合することで、移動板４１は係止し固定されることとなる。また、所定以上の力でツマミ４２ｂを上方もしくは下方に移動させると板バネ４２ｂは係合凹部４２ａの凸部に押されて没入し、これにより移動板４１は固定係合部４２内を移動することができる。即ち、移動板４１は固定係合部４２内を移動可能かつ複数の位置で係止できるように形成される。
受け皿５０は、断面半円状の上方が開放した箱体であり、幅は２つの筒体１０と筒体２０とを並べた幅と等しく、厚さは筒体１０に等しい。受け皿５０は移動体４０の移動板４１下端に正面側に向くように固定されることで、筒体１０、３０の真下に底板が位置付けられている。
【０００９】
次に、以上のような構成を有するポケット用文具立てＸの使用方法について説明する。まず、使用者は、使用しようとするポケットの幅および厚さに合わせて、ポケット用文具立てＸの幅を調節する。具体的には、ポケット用文具立てＸは着脱可能に形成されている筒体３０を固定しない場合から２つ固定する場合まで３段階の幅の調整が可能であるので、筒体３０をいくつ固定するかによって幅を調整する。次に、使用しようとするポケットの深さに合わせて移動体４０の移動板４１の突出量を調整する。具体的には筒体２０に設けられているクリップ２１によりポケットの上縁を狭持した状態で、受け皿５０の底面がポケットの底に触れる程度に、移動板４１のツマミ４２ｂを動かす。
【００１０】
その後、ポケット用文具立てＸをポケット内に入れ、クリップ２１によりポケット前縁を狭持する。これにより、ポケット用文具Ｘは、横幅がポケットの幅に合わせられ、受け皿５０の底面もポケットの底に接触するのでポケット内で安定して固定される。この状態で、筒体１０、２０、３０に文具を入れて保持する。図３（ａ）にポケットＰ内において、筒体１０に万年筆Ｍを入れたポケット用文具立てＸの当該筒体１０中央における縦断面図を示す。図に示すように万年筆Ｍは筒体１０に保持されるとともに、受け皿５０によって下方を封止されるので、万年筆Ｍの先端からインクなどが漏れても受け皿５０により受けることができ、また、ペン先が尖っていてもポケット内が傷つくことはほとんどない。なお、図では万年筆Ｍのクリップを筒体１０の上縁に挟んでいるが、クリップで挟まない場合でも受け皿５０により下方から支持されるので問題はない。図３（ｂ）にポケットＰ内において、筒体２０にカッターナイフＣを入れたポケット用文具立てＸの筒体２０中央における縦断面図を示す。筒体２０は空間が薄く、また、他の筒体よりも長いのでカッターナイフＣを収納するのに好適である。
【００１１】
なお、本実施形態では、受け皿５０の長さが固定であるが、左右に伸縮できるように構成してもよい。さらに、移動体４０の係止機構は上記に示したようなものに限られず、移動板に貫通孔を設けるとともに、固定係合部に複数のねじ穴を設けることにより、当該貫通孔を貫通するねじを任意のねじ穴に係合させることで係止させる等、種々の機構を採用することができる。
【図面の簡単な説明】
【００１２】
【図１】実施形態に係るポケット用文具立ての背面側から見た一部分解斜視図である。
【図２】実施形態に係るポケット用文具立ての正面側から見た一部分解斜視図である。
【図３】（ａ）はポケット内において、中央から２番目の筒体に万年筆を入れたポケット用文具立ての当該筒体中央における縦断面図であり、（ｂ）はポケット内において、中央の筒体にカッターナイフを入れたポケット用文具立ての当該筒体中央における縦断面図である。
【符号の説明】
【００１３】
Ｘ    ポケット用文具立て
１０、２０、３０  筒体
１１  面ファスナー（係合部）
３１  面ファスナー（被係合部）
２１  クリップ
４０  移動体
４１ａ  板バネ
４２ａ  係合凹部
５０  受け皿
【図１】
2009107159.tif 000003
【図２】
2009107159.tif 000004
【図３】
2009107159.tif 000005